(57)【要約】【課題】  ガラスやアクリル等からなる透光性を有する棚板が透光性を損なうことなく、しかも長期間に渡って滑り性が持続でき、商品を棚板の表面に沿って容易かつ円滑に移動させることが可能な商品陳列棚を提供すること。【解決手段】  商品Ｗを移動可能に載置した透光性を有する棚板２を備えた商品陳列棚であって、棚板２の上面に高滑り性能を有し、かつ透光性を有するシート材１０が貼着されている。そして棚板２は枠体１５に支持され、この枠体１５の前後部材１７，１８に、棚板２の上面を左右方向に仕切る前後方向に延びた仕切材２０が取り付けられている。【選択図】  図５
2007082779.tif 000002
【特許請求の範囲】
【請求項１】
商品を移動可能に載置した透光性を有する棚板を備えた商品陳列棚であって、前記棚板の上面に高滑り性能を有し、かつ透光性を有するシート材を貼着したことを特徴とする商品陳列棚。
【請求項２】
前記棚板を前方に向かって下方に傾斜させた請求項１に記載の商品陳列棚。
【請求項３】
前記棚板の棚の左右方向の略全域にわたって設けられている請求項１または２に記載の商品陳列棚。
【請求項４】
前記棚板を支持する枠体を設け、該枠体の前後部材に、前記棚板の上面を左右方向に仕切る前後方向に延びた仕切材の前後端を取り付けた請求項１乃至３のいずれかに記載の商品陳列棚。
【請求項５】
前記枠体の前後部材に前記仕切材の前後端を取り付け可能な取付孔を左右方向に向けて複数形成した請求項４に記載の商品陳列棚。
【請求項６】
前記枠体の前方に左右方向に延びる落下防止手段を設けた請求項４または５に記載の商品陳列棚。
【請求項７】
前記枠体の側方に棚板の移動拘束手段を設けた請求項４乃至６のいずれかに記載の商品陳列棚。
【発明の詳細な説明】
【技術分野】
【０００１】
本発明は、商品を移動可能に載置した透光性を有する棚板を備えた商品陳列棚に関する。
【背景技術】
【０００２】
従来、棚上に商品を載せた商品陳列棚では、模様替えや商品の一部が売れて、棚上に商品の空きスペースが生じた際、通常、商品を手で持ち上げて移動させ、前記空きスペースに商品を補充していた。しかし、手動で商品を持ち上げて移動させて補充する方法は多くの労力と時間を必要とする問題があり面倒であった。そこで、金属板表面にフッ素樹脂粉末を含有する塗膜を施すことで滑り性のある面を形成したものがあり（特許文献１）、この金属板を用いて棚板を構成したことにより棚板表面に滑り性を持たせ、棚板の傾斜面に沿って商品の自重で棚板の下流に移動されることで、常に商品陳列棚の前方には商品が陳列される構成になっている。
【０００３】
【特許文献１】特許第３０７５１１７号公報（段落００２６，段落００２７、表１，図１）
【発明の開示】
【発明が解決しようとする課題】
【０００４】
しかしながら、意匠性の観点あるいは商品の見栄えの向上を図るために、ガラスやアクリルからなる透光性を有する棚板を用いることがあり、この場合、特許文献１に記載の滑り性のある金属板を用いた棚板を適用しようとすると、ガラス等の透光性を有する棚板に滑り性のある金属板を載置しなければならず、ガラス製棚板の透光性を遮ることとなり、特に展示会等でこれら透光性を有する棚板を多段に設置した商品陳列棚に商品を載置しても、透光性が損なわれることで、ライトアップ等による商品の映え方に支障をきたす虞があった。
【０００５】
本発明は、このような問題点に着目してなされたもので、ガラスやアクリル等からなる透光性を有する棚板が透光性を損なうことなく、しかも長期間に渡って滑り性が持続でき、商品を棚板の表面に沿って容易かつ円滑に移動させることが可能な商品陳列棚を提供することを目的とする。
【課題を解決するための手段】
【０００６】
上記課題を解決するために、本発明の請求項１に記載の商品陳列棚は、商品を移動可能に載置した透光性を有する棚板を備えた商品陳列棚であって、前記棚板の上面に高滑り性能を有し、かつ透光性を有するシート材を貼着したことを特徴としている。
この特徴によれば、シート材は高滑り性能を有することで商品との摩擦抵抗力が低減されることから滑り性を長期間維持することが可能であり、且つガラスやアクリル等からなる透光性を有する棚板の特性である透光性を維持したまま使用できるので、意匠性の観点から美観を損なわず商品の見栄えが高められる。しかも、棚板が例えば破損しやすいガラスであった場合には、外部の衝撃等で棚板に外圧が加わり、万一ガラスの破損が生じることがあっても、棚板表面にはシート材が貼着されているので、ガラスの飛散が防止され安全性の高い保護膜を備えた棚板にもなる。
【０００７】
本発明の請求項２に記載の商品陳列棚は、請求項１に記載の商品陳列棚であって、前記棚板を前方に向かって下方に傾斜させたことを特徴としている。
この特徴によれば、シート材の滑り性よって容易に棚板に載置した商品を自重によって自動的に移動させることができるので、たとえ従来の棚板では滑りにくい紙製の容器であっても前方への移動がスムーズとなる。
【０００８】
本発明の請求項３に記載の商品陳列棚は、請求項１または２に記載の商品陳列棚であって、前記棚板の棚の左右方向の略全域にわたって設けられていることを特徴としている。
この特徴によれば、高滑り性能を有する棚板が棚の左右方向の略全域にわたって設けられているので、棚上のどの場所に商品を載置しても、商品を移動し易い商品陳列棚として利用できる。
【０００９】
本発明の請求項４に記載の商品陳列棚は、請求項１乃至３のいずれかに記載の商品陳列棚であって、前記棚板を支持する枠体を設け、該枠体の前後部材に、前記棚板の上面を左右方向に仕切る前後方向に延びた仕切材の前後端を取り付けたことを特徴としている。
この特徴によれば、棚板に一切加工を施すことなく仕切材の取り付けが出来るため、棚板の滑り性および透光性に支障をきたす虞がなく、仕切材の前後方向に沿って商品が確実に案内される。
【００１０】
本発明の請求項５に記載の商品陳列棚は、請求項４に記載の商品陳列棚であって、前記枠体の前後部材に前記仕切材の前後端を取り付け可能な取付孔を左右方向に向けて複数形成したことを特徴としている。
この特徴によれば、取付孔によって仕切材を複数箇所に設置して棚板を左右方向に複数区画できるとともに、棚板に陳列される商品の大きさや形状によって、これら仕切材の左右幅を適宜調整することができる。
【００１１】
本発明の請求項６に記載の商品陳列棚は、請求項４または５に記載の商品陳列棚であって、前記枠体の前方に左右方向に延びる落下防止手段を設けたことを特徴としている。
この特徴によれば、棚板の傾斜面に沿って滑降される商品に勢いが生じた場合でも、棚板前端部の落下防止手段によって移動を阻止することができ商品の滑落が防止される。
【００１２】
本発明の請求項７に記載の商品陳列棚は、請求項４乃至６のいずれかに記載の商品陳列棚であって、前記枠体の側方に棚板の移動拘束手段を設けたことを特徴としている。
この特徴によれば、移動拘束手段によって棚板の移動が拘束されるので、商品の移動時においても棚板にズレを生じさせることなく、長期に渡り商品が安定して支持される。
【発明を実施するための最良の形態】
【００１３】
本発明の実施例を以下に説明する。
【実施例１】
【００１４】
図１は、本発明の実施例１における商品陳列棚の全体像を示す斜視図であり、図２は、棚板の分解組立斜視図であり、図３は、棚板の組立後に仕切材である案内棒を取り付ける過程を示す斜視図であり、図４（ａ）は、シート板の表面を示す要部拡大平面図であり、図４（ｂ）は、図４（ａ）のＡ−Ａ線の断面図であり、図５（ａ）は、商品の取り出しにともなう他の陳列商品の移動過程を示す棚板の要部拡大側断面図であり、（ｂ）は同じくその拡大斜視図である。この商品陳列棚は、展示会場や、スーパー、コンビニエンス・ストアー等の商品売り場に設置されており、商品陳列棚に複数の商品を数多く載置して、消費者が直に商品の取り出しを行えるようになっている。
【００１５】
本発明の実施例１を図面に基づいて説明すると、商品陳列棚１は図1に示されるように、床面に載置台５が設けられ、載置台５の後方に床面から上下方向に延びる脚柱３が左右に一対にて所定間隔離間されて立設されている。両脚柱３，３の上端部には横架材８が挟持されるように設けられており、これら左右の脚柱３，３、載置台５、横架材８によって枠が構成されている。この枠の脚柱３間に背面板６が嵌合して取り付けられている。
【００１６】
両脚柱３，３にはそれぞれ係合穴３ａが上下方向に複数形成され、背面板６の所定の高さ位置には上下方向に棚板２が複数段（本実施例では３段）設けられている。これら棚板２は脚柱３の係合穴３ａに予め取り付けられた従来公知の板金状のブラケット１６を備える枠体１５に支持されている。以下、本実施例では商品陳列棚１の正面側を前方とし、商品陳列棚１の背面側を後方として説明する。
【００１７】
棚板２は後方から前方に向けて緩やかな傾斜するように支持されており、棚板２の前端部にはアクリル板などで構成された商品の落下防止手段である落下防止板４が設けられている。そして棚板２の全域に透光性を有しているシート材１０が貼着されている。
【００１８】
棚板２の棚板上面２ｄに沿って複数の商品Ｗ（本実施例では飲料等の紙パック商品）が前後方向に並べて陳列され、落下防止板４によって最前位置の商品Ｗの落下が防止されている。さらに、棚板２は意匠性の観点から美観を損なわず商品の見栄えが高められるガラスやアクリル等の透光性のある透光板が用いられ、本実施例においては、ガラス板を用いた例で説明する。
【００１９】
図２に示されるように、棚板２および、これを支持する枠体１５について具体的に説明すると、棚板２は上面視矩形のフラットな透光性を備えたガラス板で形成され、この上面には、棚板２と上面視同形の透光性を備えたシート材１０が棚板の全域に渡って貼着されている。枠材１５は左右方向に延びる板金の折曲形成による前端枠１７と後端枠１８と、前後方向に延びる板金の折曲形成による左右一対のブラケット１６，１６との４つの枠材から主に構成されている。
【００２０】
前端枠１７の上部には、後方に向けて開口されたメクラ穴の取付孔１７ａが左右の長さ方向に向けて複数形成されるとともに、後方に向けて棚板２の前端部を支持する支持片１７ｅが延設されている。この支持片１７ｅの後端から下方に向けて係合片１７ｄが折曲形成されている。支持片１７ｅの左右端部には上下に貫通するボルト孔１７ｂ，１７ｂが形成されている。前端枠１７の前端には上方に開口する取付溝１７ｃが左右長さ方向に向けて形成されており、落下防止板４の下端部を挿し込むだけで取り付け可能になっている。
【００２１】
後端枠１８の上部には、前後方向に向けて貫通する丸形の取付孔１８が左右の長さ方向に向けて複数形成されるとともに、前方に向けて棚板２の後端部を支持する支持片１８ｅが延設されている。この支持片１８ｅの前端から下方に向けて係合片１８ｄが折曲形成されている。支持片１８ｅの左右端部には上下に貫通するボルト孔１８ｂ，１８ｂが形成され、この支持片１８ｅの左右両側部からは上方に向けて棚板２の移動拘束手段である屈曲片１８ｃ，１８ｃが折曲形成されている。
【００２２】
一対のブラケット１６，１６は左右対称に構成されているため、左方のブラケット１６のみ説明する。ブラケット１６の上部には右方に向けて、前述の前後端枠１７，１８の左端部を支持する支持片１６ｅが折曲形成され、支持片１６ｅの前後端部には上下に貫通するボルト孔１６ｂ，１６ｂが形成されている。ボルト孔１６ｂ，１６ｂの近傍位置には、右方に開口する嵌合溝１６ｄ，１６ｄが形成されている。
【００２３】
次に、枠体１５の組み立てについて説明すると、左右ブラケット１６，１６の前方のボルト孔１６ｂ，１６ｂに前端枠１７の左右のボルト孔１７ｂ，１７ｂをそれぞれ重ね合わせ、支持片１６ｅ，１６ｅの前端部に支持片１７ｅを載置すると同時に、係合片１７ｄを左右前方の嵌合溝１６ｄ，１６ｄに嵌合し、この状態で２本のボルト２２，２２をボルト孔１７ｂ，１７ｂを介して、ボルト穴１６ｂ，１６ｂに螺合することで、前端枠１７と左右ブラケット１６，１６が連結される。
【００２４】
次いで、左右ブラケット１６，１６の後方のボルト孔１６ｂ，１６ｂに後端枠１８の左右のボルト孔１８ｂ，１８ｂをそれぞれ重ね合わせるように、支持片１６ｅ，１６ｅの後端部に支持片１８ｅを載置すると同時に、係合片１８ｄを左右後方の嵌合溝１６ｄ，１６ｄに嵌合し、この状態で２本のボルト２２，２２をボルト孔１８ｂ，１８ｂを介して、ボルト穴１６ｂ，１６ｂに螺合することで、後端枠１８と左右ブラケット１６，１６が連結され、枠体１５の組み立てが完了する。そして、シート材１０が貼着された棚板２の前後端部を、それぞれ前後端枠１７，１８の支持片１７ｅ，１８ｅに載置する。尚、ブラケット１６の支持片１６ｅは後方から前方に向けて傾斜するように形成されているので、棚板２の載置時には、棚板２も傾斜することになる（図１参照）。
【００２５】
図３に示されるように、棚板２が枠体１５に一体に支持された状態においては、前後端枠１７，１８によって棚板２の前後移動が拘束されるとともに、後端枠１８の左右側部の屈曲片１８ｃ，１８ｃによって、棚板２の左右移動が拘束されるため、商品Ｗの移動時においても棚板２がずれることなく、長期に渡り商品Ｗを安定して支持することができる。
【００２６】
そして、枠体１５には棚板２よりも上部位置に若干離間され前後方向を向く複数本の金属製の棒状の仕切材２０が、棚板上面２ｄを左右方向に区画するように取り付けられている。この仕切材２０の取り付けについては、まず仕切材２０の後端を後端枠１８に形成された複数の取付孔１８ａのいずれかの取付孔１８ａに後方に向けて挿し込み、仕切材２０の前端が前端枠１７よりも内方に移動させ、仕切材２０を棚板上面２ｄと平行にした状態で、移動方向を逆（前方）に変更して仕切材２０の前端を前端枠１７のメクラ穴の取付孔１７ａに挿し込むことで、容易に仕切材２０を取り付けることができ、仕切材２０の前後端部が取付孔１７ａ，１８ａ間で支持される。
【００２７】
次に、シート材１０について詳細に説明すると、図４（ａ）及び図４（ｂ）に示されるように、シート材１０は、ガラス等の透過性材質で形成された棚板２と、表面にエンボス加工が施されたエンボスシート１２と、エンボスシート１２の表面に塗布された塗膜１３とで構成されている。エンボスシートの表面には複数の微小な突起１４が形成されるとともに、このエンボスシート１２の表面にケイ素樹脂を５〜１０％の割合で含有させたポリエチレン樹脂が塗布されることで、塗膜１３が形成されている。エンボスシート１２は、接着剤等を用いて棚板２の上面に貼り付けられている。尚、本実施例では、塗膜１３にケイ素樹脂が含有されていたが、ケイ素樹脂に限らず、フッ素樹脂またはモリブデンが塗膜１３に含有されていてもよい。爆走
【００２８】
図４（ａ）に示されるように、エンボスシート１２の厚みはエンボス加工が施し易いように、０．２〜０．５ｍｍで形成されている。更にこのエンボスシート１２の表面に形成された複数の突起１４は、同一直径（本実施例では０．２〜１．０ｍｍ）、及び同一高さ（本実施例では０．１〜０．４ｍｍ）で形成されており、それぞれの突起同士の間隔が０．５〜１．５ｍｍで配置されている。尚、本実施例では突起１４の面積に対する占有率は５〜６０％の範囲内となっている。
【００２９】
このようにして、棚板２の表面にエンボスシート１２が貼り付けられ、かつエンボスシート１２の表面に塗膜１３が塗布されていることで、滑り性能が高められておりシート材１０の上面に載置された商品Ｗを摺動し易い構成となっている。さらに、複数の突起１４によってシート材１０の上面の商品Ｗとの接触面積がより制限され摩擦抵抗を低く抑えている。
【００３０】
次に、図５（ａ）に示されるように、前述の滑り性に優れたシート材１０を備えた棚板２には、複数の商品Ｗが仕切材２０に沿って前後に陳列されている。そこで、最前列の商品Ｗが利用者によって抜き取られると、シート材１０の高滑り性能により陳列された複数の商品Ｗが自重によって棚板２の棚板上面２ｄに沿って前方に円滑に移動されていく。
【００３１】
そこで、例えば商品を棚板２に補充する店員は、棚板２上の商品Ｗを並び直す手間が省けるとともに、特に図示しないが、陳列された商品Ｗの最後部の後方のスペースより新たな商品Ｗを補充するだけで、常に商品を棚板２の前端枠１７側に位置させることができるとともに、店の利用者に棚板２の後方まで手を伸ばさせて商品Ｗを取らせる手間も生じさせない。
【００３２】
この図示される商品Ｗのように紙製の容器であっても、シート材１０の表面に形成された複数の突起１４は微小に形成されているため（図４参照）、商品Ｗの移動時においても引っ掛かりを生じさせない構成となっており、棚板２の前方向への移動がスムーズに行われる。また、棚板上面２ｄに沿って滑降される商品に勢いが生じた場合でも、前端枠１７の落下防止板４（落下防止手段）によって移動を阻止することができ商品Ｗの滑落が防止されている。
【００３３】
このようにして、シート材１０は高滑り性能を有することで商品Ｗとの摩擦抵抗力が低減されることから、滑り性を長期間維持することが可能であり、且つガラスやアクリル等からなる透光性を有する棚板２の特性である透光性を維持したまま使用できるので、意匠性の観点から美観を損なうことなく商品の見栄えを高めることができる。
【００３４】
しかも、本実施例のように例えば棚板２が破損しやすいガラス製であった場合には、外部の衝撃等で棚板２に外圧が加わり、万一ガラスの破損が生じることがあっても、棚板２表面にはシート材１０が貼着されているので、ガラスの飛散が防止され安全性の高い保護膜を備えた棚板２にもなる。
【００３５】
さらに、図５（ｂ）に示されるように、シート材１０を備えた棚板２を棚の全域に渡って設けたことで、シート材１０のどの位置に商品Ｗが載置された場合であっても、シート材１０の高滑り性能により商品Ｗの自重で前方に移動させることができる。そして、仕切材２０を取り付ける取付孔１７ａ，１８ａが複数形成されたことで、仕切材２０を複数箇所に設置して棚板２を左右方向に複数区画できるとともに、棚板２に陳列される商品Ｗの大きさや形状によって、これら仕切材２０の左右幅を適宜調整することが可能となっている。
【００３６】
しかも、仕切材２０の取り付けに際しては、棚板２に一切加工が施されることなく取り付けができるため、棚板２の滑り性および透光性に支障をきたす虞なく、仕切材２０の前後方向に沿って各商品Ｗが陳列の順番に沿って確実に案内される（図１参照）。なお、商品Ｗの前方移動による摺動によって、シート材１０に前方へ向けて摩擦が加えられても、シート材１０は接着材等により棚板２に強固に接合されているので、シート材１０が前方に滑り落ちる恐れもない。
【実施例２】
【００３７】
次に、本発明の実施例２を図６に基づいて説明する。図６は、本発明の実施例２における棚板を示す斜視図である。なお、以下の実施例２において前述の実施例１と同様の構造部分に関しては、同一の符号を付すことにより詳細な説明は省略することにする。
【００３８】
図６に示されるように、枠体１５’の一部を構成する前端枠１７’および後端枠１８’には、上下に延びる矩形の取付孔１７ａ’，１８ａ’が左右の長さ方向に向けて複数形成されている。仕切材２１には板金状の金属板材が用いられ、この仕切材２１の後端を取付孔１８ａ’に挿し込んで、さらに仕切材２１の前端を取付孔１７ａ’に挿し込むだけで容易に取り付けが完了される。
【００３９】
そして、複数本の仕切材２１で棚板上面２ｄが左右方向に複数区画され、商品Ｗを前後方向に安定した状態で陳列することが可能になる。したがって、本発明の仕切材は前述した棒状の仕切材２０［図５（ｂ）参照］の以外にも、板金形状の仕切材２１を用いることで耐久強度に優れた仕切材２１を提供できる。
【実施例３】
【００４０】
次に、本発明の実施例３を図７に基づいて説明する。図７は、本発明の実施例３における棚板を示す平面図である。なお、以下の実施例３において前述の実施例１と同様の構造部分に関しては、同一の符号を付すことにより詳細な説明は省略することにする。
【００４１】
図７に示されるように、２本の仕切材２０，２０は、上面視逆ハ字になるように前後端枠１７，１８に取り付けられ、例えば、缶類の商品Ｗｗが両仕切材２０，２０間の棚板上面２ｄに複数載置されている。そこで、前方の商品Ｗｗが一つ取り出されると、後方の商品Ｗｗが棚板上面２ｄに沿って前方に移動されるとともに、仕切材２０，２０に沿って前方中央方向に案内される。
【００４２】
つまり、棚板２に商品Ｗｗを補充する店員は、棚板２の後方から商品Ｗｗを載置するだけで、複数の商品Ｗｗが自動的に前方に陳列されるので、棚板２上の商品Ｗｗを並び直す手間が省ける。この仕切材２０，２０の取り付け形態では、特に仕切で区画された領域毎に同一の商品Ｗｗを複数陳列する場合に有効である。
【００４３】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、シート材１０として複数の突起１４に塗膜１３を形成したエンボスシート１２から成るシートを用いて説明したが、本発明はこれに限定されるものではなく、シート材としては高滑り性能を有するシート状のものであればどの様なものでもよい。
【００４４】
また、上記実施例では、棚板２を傾斜させて商品Ｗを自重によって前方に移動させているが、本発明はこれに限定されるものではなく、棚板を傾斜しないタイプの商品陳列棚にも適用することもできる。この場合にも棚板には高滑り性を有するシート材が貼着されているために、店員が棚板上に載置された商品を移動する際にも、特に大きな力を加えなくとも数多くの商品を一度に移動でき手間が省ける。
【００４５】
また、上記実施例では、枠体１５に前後方向を向く仕切材２０を複数設けたことにより、商品Ｗが左右の両仕切材２０，２０に沿って、棚板上面２ｄの前後方向に案内されることから好ましいが、枠体１５に仕切材２０を設けずに使用することも可能である。
【図面の簡単な説明】
【００４６】
【図１】本発明の実施例１における商品陳列棚の全体像を示す斜視図である。
【図２】棚板の分解組立斜視図である。
【図３】棚板の組立後に仕切材である案内棒を取り付ける過程を示す斜視図である。
【図４】（ａ）は、シート板の表面を示す要部拡大平面図であり、（ｂ）は、（ａ）のＡ−Ａ線の断面図である。
【図５】（ａ）は、商品の取り出しにともなう他の陳列商品の移動過程を示す棚板の要部拡大側断面図であり、（ｂ）は同じくその拡大斜視図である。
【図６】本発明の実施例２における棚板を示す斜視図である。
【図７】本発明の実施例３における棚板を示す平面図である。
【符号の説明】
【００４７】
１                    商品陳列棚
２                    棚板（実施例１）
２’                  棚板（実施例２）
２ｄ                  棚板上面
３                    脚柱
３ａ                  係合穴
４                    落下防止板（落下防止手段）
５                    載置台
６                    背面板
８                    横架材
１０                  シート材（旧：シート板）
１２                  エンボスシート
１３                  塗膜
１４                  突起
１５、１５’          枠体
１６                  ブラケット
１６ｂ                ボルト穴
１６ｄ                嵌合溝
１６ｅ                支持片
１７、１７’          前端枠（枠体の前部材）
１７ａ、１７ａ’      取付孔
１７ｂ                ボルト孔
１７ｃ                取付溝
１７ｄ                係合片
１７ｅ                支持片
１８、１８’          後端枠（枠体の後部材）
１８ａ、１８ａ’      取付孔
１８ｂ                ボルト孔
１８ｃ                屈曲片（移動拘束手段）
１８ｄ                係合片
１８ｅ                支持片
２０                  棒状の仕切材（実施例１）
２１                  板金状の仕切材（実施例２）
２２                  ボルト
Ｗ、Ｗｗ              商品
【図１】
2007082779.tif 000003
【図２】
2007082779.tif 000004
【図３】
2007082779.tif 000005
【図４】
2007082779.tif 000006
【図５】
2007082779.tif 000007
【図６】
2007082779.tif 000008
【図７】
2007082779.tif 000009